(57)【要約】【課題】ＰＣなどのユーザ端末から入力した情報をカーナビゲーション装置に反映させ、ユーザの利便性をより向上させる。【解決手段】ユーザ端末１０１は、カーナビゲーション装置１０２に登録する位置情報および当該位置情報に関するキーワードをホームゲートウェイ２０１に送信し、ホームゲートウェイ２０１は、ユーザ端末１０１から受信した位置情報をカーナビゲーション装置用の位置情報に変換する変換手段と、変換後の位置情報と対応するキーワードとをカーナビゲーション装置１０２に通知する通知手段とを有し、カーナビゲーション装置１０２は、通知された変換後の位置情報が示す位置を地図情報上で特定し、特定した位置に通知されたキーワードを表示させる地図情報更新手段を有する。【選択図】図３
2010252168.tif 000002
【特許請求の範囲】
【請求項１】
ホームゲートウェイと、当該ホームゲートウェイ配下のユーザ端末およびカーナビゲーション装置とを有するホームネットワークシステムであって、
前記ユーザ端末は、前記カーナビゲーション装置に登録する位置情報および当該位置情報に関するキーワードを、前記ホームゲートウェイに送信し、
前記ホームゲートウェイは、
前記ユーザ端末から受信した位置情報を前記カーナビゲーション装置が認識可能な位置情報に変換し、前記ユーザ端末から受信したキーワードと対応付けて個人情報記憶手段に記憶する変換手段と、
前記個人情報記憶手段に記憶された変換後の位置情報と対応するキーワードとを、前記カーナビゲーション装置に通知する通知手段と、を有し、
前記カーナビゲーション装置は、
前記通知された変換後の位置情報が示す位置を、当該カーナビゲーション装置にあらかじめ格納された地図情報上で特定し、特定した位置に通知されたキーワードを表示させる地図情報更新手段を有すること
を特徴とするホームネットワークシステム。
【請求項２】
請求項１記載のホームネットワークシステムであって、
前記ホームゲートウェイは、前記カーナビゲーション装置を発見すると、外部システムから前記変換手段および通知手段を実現するプログラムをダウンロードする発見手段を、さらに有すること
を特徴とするホームネットワークシステム。
【請求項３】
請求項１または請求項２記載のホームネットワークシステムであって、
前記ユーザ端末は、サーチエンジンを用いて前記カーナビゲーション装置に登録する位置情報を検索し、検索結果である位置情報を前記キーワードとともに前記ホームゲートウェイに送信すること
を特徴とするホームネットワークシステム。
【請求項４】
請求項１から請求項３のいずれか１項に記載のホームネットワークシステムであって、
前記ホームゲートウェイの変換手段は、前記ユーザ端末から受信した位置情報を、前記カーナビゲーション装置が認識可能な緯度および経度に変換すること
を特徴とするホームネットワークシステム。
【請求項５】
ホームゲートウェイを介して、当該ホームゲートウェイ配下のユーザ端末とカーナビゲーション装置との間で情報の送受信を行う情報通信方法であって、
前記ユーザ端末は、
前記カーナビゲーション装置に登録する位置情報および当該位置情報に関するキーワードを、前記ホームゲートウェイに送信する送信ステップを行い、
前記ホームゲートウェイは、
前記ユーザ端末から受信した位置情報を前記カーナビゲーション装置が認識可能な位置情報に変換し、前記ユーザ端末から受信したキーワードと対応付けて個人情報記憶部に記憶する変換ステップと、
前記個人情報記憶部に記憶された変換後の位置情報と対応するキーワードとを、前記カーナビゲーション装置に通知する通知ステップと、を行い、
前記カーナビゲーション装置は、
前記通知された変換後の位置情報が示す位置を、当該カーナビゲーション装置にあらかじめ格納された地図情報上で特定し、特定した位置に通知されたキーワードを表示させる地図情報更新ステップを行うこと
を特徴とする情報通信方法。
【請求項６】
請求項５記載の情報通信方法であって、
前記ホームゲートウェイは、前記カーナビゲーション装置を発見すると、外部システムから前記変換ステップおよび通知ステップを行わせるプログラムをダウンロードするステップを、さらに行うこと
を特徴とする情報通信方法。
【請求項７】
請求項５または請求項６記載の情報通信方法であって、
前記ユーザ端末は、サーチエンジンを用いて前記カーナビゲーション装置に登録する位置情報を検索する検索ステップを、さらに行い、
前記送信ステップは、前記検索ステップの検索結果である位置情報を前記キーワードとともに前記ホームゲートウェイに送信すること
を特徴とする情報通信方法。
【請求項８】
請求項５から請求項７のいずれか１項に記載の情報通信方法であって、
前記ホームゲートウェイの変換ステップは、前記ユーザ端末から受信した位置情報を、前記カーナビゲーション装置が認識可能な緯度および経度に変換すること
を特徴とする情報通信方法。
【請求項９】
請求項５から請求項８のいずれか１項に記載の情報通信方法をコンピュータに実行させる情報通信プログラム。
【発明の詳細な説明】
【技術分野】
【０００１】
本発明は、ホームゲートウェイに接続されたホーム機器間で情報の送受信を行うホームネットワークシステム、情報通信方法および情報通信プログラムに関する。
【背景技術】
【０００２】
近年、車載装置の1つであるカーナビケーション装置の普及率が年々高まってきている。これにより、カーナビケーション装置を用いた各種のサービスが提供されている。例えば、特許文献１では、カーナビケーション装置と連携して、情報提供を行う情報センタとの間で情報の送受信を行う車載装置が記載されている。特許文献２では、地図データを更新するためのデータを数多く集めて、最新の地図データをユーザ（カーナビケーション装置）に提供する地図サーバが記載されている。
【先行技術文献】
【特許文献】
【０００３】
【特許文献１】特許第３８３０７９６号公報
【特許文献２】特許第３６９５３９１号公報
【発明の概要】
【発明が解決しようとする課題】
【０００４】
さて、カーナビゲーション装置に個人的な情報を登録する場合、ユーザは、一旦、自宅にあるＰＣなどで検索した情報（住所、地図、電話番号）をプリンタで出力し、または紙にメモする。そして、ユーザは、ＰＣから出力された紙ベースの情報に基づいて、車に設置されたカーナビケーション装置に所望の情報を入力する。
【０００５】
この場合、ユーザは、ＰＣを用いて検索した情報をプリンタで印刷し、カーナビゲーション装置に入力するため、印刷および入力の負荷がある。また、カーナビゲーション装置に所望の情報を入力後、カーナビゲーション装置を交換する場合、再度、必要な情報を入力しなければならないため、ユーザに負荷がかかる。
【０００６】
本発明は上記事情に鑑みてなされたものであり、本発明の目的は、ＰＣなどのユーザ端末から入力した情報をカーナビゲーション装置に反映させ、ユーザの利便性をより向上させることにある。
【課題を解決するための手段】
【０００７】
上記目的を達成するため、本発明は、ホームゲートウェイと、当該ホームゲートウェイ配下のユーザ端末およびカーナビゲーション装置とを有するホームネットワークシステムであって、前記ユーザ端末は、前記カーナビゲーション装置に登録する位置情報および当該位置情報に関するキーワードを、前記ホームゲートウェイに送信し、前記ホームゲートウェイは、前記ユーザ端末から受信した位置情報を前記カーナビゲーション装置が認識可能な位置情報に変換し、前記ユーザ端末から受信したキーワードと対応付けて個人情報記憶手段に記憶する変換手段と、前記個人情報記憶手段に記憶された変換後の位置情報と対応するキーワードとを、前記カーナビゲーション装置に通知する通知手段と、を有し、前記カーナビゲーション装置は、前記通知された変換後の位置情報が示す位置を、当該カーナビゲーション装置にあらかじめ格納された地図情報上で特定し、特定した位置に通知されたキーワードを表示させる地図情報更新手段を有する。
【０００８】
また、本発明は、ホームゲートウェイを介して、当該ホームゲートウェイ配下のユーザ端末とカーナビゲーション装置との間で情報の送受信を行う情報通信方法であって、前記ユーザ端末は、前記カーナビゲーション装置に登録する位置情報および当該位置情報に関するキーワードを、前記ホームゲートウェイに送信する送信ステップを行い、前記ホームゲートウェイは、前記ユーザ端末から受信した位置情報を前記カーナビゲーション装置が認識可能な位置情報に変換し、前記ユーザ端末から受信したキーワードと対応付けて個人情報記憶部に記憶する変換ステップと、前記個人情報記憶部に記憶された変換後の位置情報と対応するキーワードとを、前記カーナビゲーション装置に通知する通知ステップと、を行い、前記カーナビゲーション装置は、前記通知された変換後の位置情報が示す位置を、当該カーナビゲーション装置にあらかじめ格納された地図情報上で特定し、特定した位置に通知されたキーワードを表示させる地図情報更新ステップを行う。
【０００９】
また、本発明は、前記情報通信方法をコンピュータに実行させる情報通信プログラムである。
【発明の効果】
【００１０】
本発明によれば、ＰＣなどのユーザ端末から入力した情報をカーナビゲーション装置に反映させ、ユーザの利便性をより向上させることができる。
【図面の簡単な説明】
【００１１】
【図１】本発明の実施形態に係る通信システムの全体構成図である。
【図２】ホームゲートウェイおよびホーム機器の構成を示すブロック図である。
【図３】本実施形態の処理の概要を説明するための説明図である。
【図４】本実施形態の処理を示すシーケンス図である。
【図５】登録画面の一例を示す図である。
【発明を実施するための形態】
【００１２】
以下、本発明の実施形態について説明する。
【００１３】
図１は、本発明の実施形態に係る通信システムを示す図である。図示する通信システムは、ホームネットワーク（ＨＮＷ）運用サーバ３０１と、サーチエンジン（検索エンジン）４０１と、ホームゲートウェイ（ＨＧＷ）２０１とを有し、これらの装置２０１、３０１、４０１はネットワーク９により接続されている。また、ホームゲートウェイ２０１には、複数のホーム機器１０１、１０２、１０３が接続されている。
【００１４】
ホームネットワーク運用サーバ３０１は、ＯＳＡＰ（ＯＳＧｉサービス・アプリケーション・プラットフォーム）をベースとし、サービス事業者が提供するアプリケーションプログラム（以下、「バンドル」）を、ホームゲートウェイ２０１にダウンロードする。ＯＳＧｉ（Open Services Gateway Initiative）は、ホーム機器をインターネットに接続し、パソコンやホーム機器間で相互にサービスを提供するための技術仕様ＯＳＧｉの規格策定や普及を推進する標準化団体である。本実施形態のサービス事業者は、カーナビに地図などのサービスを提供する事業者である。ホームネットワーク運用サーバ３０１は、ＸＭＬによるＳＯＡＰ通信を用いて、ホームゲートウェイ２０１と通信する。
【００１５】
ホームゲートウェイ２０１は、ホームネットワーク運用サーバ３０１が管理しているＯＳＧｉ技術を用いたネットワーク機器であり、ホームネットワーク運用サーバ３０１からバンドルをダウンロードする。また、ホームゲートウェイ２０１は、当該ホームゲートウェイ２０１の配下に無線または有線により接続されたホーム機器１０１、１０２、１０３と、ＩＰ通信などにより通信可能な機器である。
【００１６】
本実施形態のホーム機器には、ユーザ端末１０１と、車に搭載されるカーナビゲーション装置（以下、「カーナビ」）１０２を用いるものとする。ユーザ端末１０１は、ホームゲートウェイ２０１にダウンロードされたバンドルが提供するＷｅｂ画面を表示可能な機器であって、ホームネットワーク運用サーバ３０１のネットワーク機器である。ユーザ端末１０１には、例えばＰＣ（Personal Computer）、ＰＤＡ（Personal Digital Assistants）、携帯電話などを用いることが考えられる。
【００１７】
カーナビ１０２は、道順案内などを行いドライバーの運転を支援する車載装置である。また、カーナビ１０２は、ホームゲートウェイ２０１と通信可能な機器であるとともに、ホームネットワーク運用サーバ３０１のネットワーク機器である。また、本実施形態のカーナビ１０２は、サービス事業者が提供するサービスを受容できる機器である。
【００１８】
図２は、ホームゲートウェイ２０１およびカーナビ１０２の構成を示すブロック図である。
【００１９】
ホームゲートウェイ２０１は、ホーム機器発見部２０２と、入出力情報表示部２０３と、位置情報管理部２０４と、位置情報変換部２０６と、個人情報記憶部２０５と、通知情報送信部２０７と、を有する。
【００２０】
ホーム機器発見部２０２は、ホームゲートウェイ２０１に接続されたホーム機器（ユーザ端末１０１、カーナビ１０２）を発見し、ホームネットワーク運用サーバ３０１に発見した機器の機器識別情報を通知する。また、ホーム機器発見部２０２は、ホームネットワーク運用サーバ３０１からダウンロードされたバンドル（プログラム）をインストールする。これにより、入出力情報表示部２０３、位置情報管理部２０４、位置情報変換部２０６、個人情報記憶部２０５、および通知情報送信部２０７の機能が実現される。
【００２１】
入出力情報表示部２０３は、ダウンロードされたバンドルに含まれる所定の画面（Ｗｅｂページ）をユーザ端末１０１に送信するとともに、ユーザ端末１０１から当該画面に入力された情報を受信する。
【００２２】
位置情報管理部２０４は、入出力情報表示部２０３を介してユーザ端末から送信された位置情報およびキーワードを取得し、個人情報記憶部２０５に記憶・登録する。位置情報変換部２０６は、位置情報管理部２０４がユーザ端末から取得した位置情報を、カーナビ１０２が認識可能（処理可能）な形式の位置情報に変換する。そして、位置情報変換部２０６は、変換後の位置情報を個人情報記憶部２０５に記憶・登録する。
【００２３】
個人情報記憶部２０５には、位置情報管理部２０４がユーザ端末１０１から取得した位置情報およびキーワードと、位置情報変換部２０６が変換した変換後の位置情報とが、対応付けて記憶されている。通知情報送信部２０７は、個人情報記憶部２０５に記憶された、変換後の位置情報および対応するキーワードをカーナビ１０２に通知する。
【００２４】
カーナビ１０２は、通知情報取得部２１と、ユーザ情報記憶部２２と、地図情報記憶部２３と、地図情報更新部２４と、表示部２５とを有する。
【００２５】
通知情報取得部２１は、ホームゲートウェイ２０１から送信された、変換後の位置情報およびキーワードを受信し、ユーザ情報記憶部２２に記憶する。ユーザ情報記憶部２２には、変換後の位置情報およびキーワードが対応付けて記憶される。地図情報記憶部２３には、地形、番地などの様々な情報を含む道路地図情報があらかじめ記憶されている。
【００２６】
地図情報更新部２４は、ユーザ情報記憶部２２に記憶された変換後の位置情報が示す位置を、地図情報記憶部２３に格納された道路地図情報上で特定し、特定した位置にユーザ情報記憶部２２に記憶された対応するキーワードを設定し、ディスプレイである表示部２５に表示する。
【００２７】
また、カーナビ１０２は、現在位置および走行経路を割り出し、地図情報記憶部２３に格納された道路地図情報と照らし合わせて、地図上の位置を特定するナビゲーション部（不図示）も有する。
【００２８】
上記説明したホームゲートウェイ２０１、ユーザ端末１０１、カーナビ１０２、ホームネットワーク運用サーバ３０１およびサーチエンジン４０１は、例えば、少なくともＣＰＵと、メモリとを備えた汎用的なコンピュータシステムを用いることができる。このコンピュータシステムにおいて、ＣＰＵがメモリ上にロードされた所定のプログラムを実行することにより、各装置の各機能が実現される。例えば、ホームゲートウェイ２０１、ユーザ端末１０１およびカーナビ１０２の各機能は、ホームゲートウェイ２０１用のプログラムの場合は、ホームゲートウェイ２０１のＣＰＵが、ユーザ端末１０１用のプログラムの場合はユーザ端末１０１のＣＰＵが、そして、カーナビ１０２用のプログラムの場合はカーナビ１０２のＣＰＵがそれぞれ実行することにより実現される。
【００２９】
次に、本実施形態の処理について説明する。
【００３０】
図３は、本実施形態の処理の概要を説明するための説明図である。
【００３１】
まず、ホームゲートウェイ２０１は、当該ホームゲートウェイ２０１配下のユーザ端末１０１およびカーナビ１０２の機器発見し、ホームネットワーク運用サーバ３０１に通知する（Ｓ１０１）。ホームネットワーク運用サーバ３０１は、機器発見の通知を受け付けて、サービス事業者が提供するバンドルを、ホームゲートウェイ２０１に送信する（Ｓ１０２）。
【００３２】
ホームゲートウェイ２０１は、ホームネットワーク運用サーバ３０１からバンドルをダウンロードし、当該バンドルをインストールする（Ｓ１０３）。
【００３３】
ユーザ端末１０１は、ユーザの指示を受け付けて、所定の位置情報および当該位置情報に関するキーワードをホームゲートウェイ２０１に通知する（Ｓ１０４）。なお、ユーザは、ホームゲートウェイ２０１が提供する画面（Ｗｅｂページ）を用いて、サーチエンジン４０１から所望の位置情報を検索するものとする。
【００３４】
ホームゲートウェイ２０１は、ユーザ端末１０１から送信された位置情報を、カーナビ１０２が認識可能な位置情報に変換する（Ｓ１０５）。そして、ホームゲートウェイ２０１は、カーナビ１０２からの要求により、Ｓ１０５で変換された変換後の位置情報と、Ｓ１０４で通知されたキーワードとをセットにして、カーナビ１０２に送信する（Ｓ１０６）。
【００３５】
カーナビ１０２は、変換後の位置情報が示す地図上の位置を特定し、特定した位置に送信されたキーワードを設定する。そして、カーナビ１０２は、特定した位置およびキーワードを含む地図を、当該カーナビ１０２の表示装置に表示する（Ｓ１０７）。
【００３６】
図４は、図３で説明した処理を、より詳細に説明するためのシーケンス図である。
【００３７】
まず、ホームゲートウェイ２０１（ホーム機器発見部２０２）は、配下のホーム機器であるユーザ端末１０１およびカーナビ１０２を発見し（Ｓ１、Ｓ２）、発見したホーム機器１０１、１０２の端末識別情報（例えば、ＭＡＣアドレス等）をホームネットワーク運用サーバ３０１に通知する（Ｓ３）。
【００３８】
なお、ホームゲートウェイ２０１は、Ｓ２においてカーナビ１０２を発見した際に、当該ホームゲートウェイ２０１へアクセスするための情報（例えば、ＩＰアドレスなど）をカーナビ１０２に通知する。
【００３９】
ユーザ端末１０１は、ユーザの指示を受け付けて、カーナビ１０２への登録要求をホームゲートウェイ２０１に送信し、ホームゲートウェイ２０１はユーザ端末１０１の登録要求をホームネットワーク運用サーバ３０１に送信する（Ｓ４）。
【００４０】
ホームネットワーク運用サーバ３０１は、Ｓ３で通知された端末識別情報が、当該サーバ３０１にあらかじめ登録された端末識別情報である場合、ユーザ端末１０１から入力された位置情報をカーナビ１０２用の位置情報に変換するバンドル（プログラム）をホームゲートウェイ２０１にダウンロードする（Ｓ５）。なお、ホームネットワーク運用サーバ３０１は、当該サーバ３０１がサービスを提供するホーム機器の端末識別情報を、図示しない記憶装置に記憶しておくものとする。
【００４１】
そして、ホームゲートウェイ２０１は、ダウンロードされたバンドルをインストールし、これにより、図２で説明したホームゲートウェイ２０１の各機能が実現される。なお、バンドルがホームゲートウェイ２０１にインストールされたことをユーザに通知するために、ホームゲートウェイ２０１は、ユーザ端末１０１の表示装置上に（例えば、マイコンピュータ上に）、当該バンドルが使用可能であることを示す所定のアイコンを表示することとしてもよい。
【００４２】
なお、上記Ｓ１〜Ｓ５の処理は、最初にカーナビ１０２を設置した場合、またはカーナビ１０２を変更・入れ替えた場合にのみに行われる処理である。バンドルがホームゲートウェイ２０１にインストールされた後は、ホームゲートウェイ２０１は、Ｓ４の登録要求を受信すると、次に説明する登録画面をユーザ端末に送信する。
【００４３】
ホームゲートウェイ２０１（入出力情報表示部２０３）は、Ｓ４の登録要求に対して、所定の登録画面（Ｗｅｂページ）を、ユーザ端末１０１に送信する（Ｓ６）。
【００４４】
図５（ａ）は、ユーザ端末１０１に表示される登録画面の一例を示すものである。
【００４５】
図５（ａ）に示す登録画面は、カーナビ１０２に登録する情報を入力する登録部５１０と、位置情報などを検索するための検索部５２０とを有する。登録部５１０は、位置情報を入力する位置情報入力欄と、キーワードを入力するキーワード入力欄と、登録ボタンとを有する。検索部５２０は、少なくとも１つのサーチエンジン４０１への検索ワード入力欄と、検索指示を受け付けるための検索ボタンとを有する。なお、各サーチエンジン４０１のＵＲＬは、ダウンロードされたバンドルの中に設定されているものとする。
【００４６】
なお、登録部５１０は、ホームゲートウェイ２０１に既に登録した情報を表示させるための指示受付部５１１を有する。ユーザがこの指示受付部５１１をクリックすると、例えば図５（ｂ）に示すように、ホームゲートウェイ２０１の個人情報記憶部２０５に記憶された位置情報およびキーワードがセットになったテーブル５１２が表示される。ユーザは、表示された位置情報またはキーワードを修正または削除したい場合は、所望の内容に修正・削除して、修正ボタンまたは削除ボタンを押下し、更新ボタンを押下する。これにより更新内容がホームゲートウェイ２０１に送信され、個人情報記憶部２０５に記憶されている情報が更新される。
【００４７】
ユーザは、所望の検索ワードを、所望のサーチエンジン４０１の検索ワード入力欄に入力し、検索ボタンをクリックする。ユーザ端末１０１は、入力された検索ワードを、指定されたサーチエンジン４０１に送信する（Ｓ７）。サーチエンジン４０１は送信された検索ワードの検索結果をユーザ端末１０１に送信し、ユーザ端末１０１は検索結果を表示する（Ｓ８）。図５（ａ）に示す登録画面の場合、検索部５２０に検索結果が表示されるものとする。
【００４８】
ユーザは、ユーザ端末１０１に表示された検索結果を参照し、カーナビ１０２に登録したい位置情報を登録部５１０の位置情報入力欄に入力する。また、ユーザは、当該位置情報について個人的に付けたニックネーム等のキーワード（例えば、「スイーツのお店」など）を、登録部５１０のキーワード入力欄に入力する。そして、ユーザは、位置情報およびキーワードを入力後、登録ボタンをクリックする。
【００４９】
なお、本実施形態では位置情報として住所を用いるものとするが、これに限定されず、位置情報は例えば電話番号、緯度・経度などであってもよい。また、図４に示すシーケンス図では、Ｓ７およびＳ８でサーチエンジン４０１への検索を行うこととするが、あらかじめカーナビに登録したい位置情報をユーザが知っている場合は、Ｓ７およびＳ８の処理を行わなくてもよい。
【００５０】
ユーザ端末１０１は、ユーザが入力した位置情報およびキーワードを受け付け（Ｓ９）、登録ボタンがクリックされると、入力された位置情報およびキーワードをホームゲートウェイ２０１に送信する（Ｓ１０）。
【００５１】
ホームゲートウェイ２０１の位置情報管理部２０４は、入出力情報表示部２０３を介して位置情報およびキーワードを受信し、個人情報記憶部２０５に登録・記憶する。そして、位置情報変換部２０６は、ユーザ端末１０１から受信した位置情報を、カーナビ１０２が認識可能なカーナビ用の位置情報に変換する（Ｓ１１）。例えば、ユーザ端末１０１から受信した位置情報が住所の場合、当該住所に対応する緯度および経度に変換する。この場合、ホームゲートウェイ２０１は、例えば、住所と緯度・経度とを対応づけた変換テーブルを保持するものとする。
【００５２】
また、位置情報変換部２０６は、変換後のカーナビ用の位置情報（例えば緯度・経度）を、ユーザ端末１０１から受信した位置情報（例えば住所）およびキーワードと対応付けて、個人情報記憶部２０５に記憶する。
【００５３】
そして、カーナビ１０２は、所定のタイミングで、ホームゲートウェイ２０１に情報取得要求を送信し（Ｓ１２）、これにより、ホームゲートウェイ２０１（通知情報送信部２０７）は、個人情報記憶部２０５を参照し、Ｓ１１で変換されたカーナビ用の位置情報と、キーワードとをセットにしてカーナビ１０２に送信する（Ｓ１３）。
【００５４】
所定のタイミングとしては、例えば、カーナビ１０２の電源がオンになったときに、カーナビ１０２が情報取得要求を送信することが考えられる。また、ホームゲートウェイ２０１は、常にカーナビ１０２に対してポーリングしており、カーナビ１０２からの応答があったときに、カーナビ用の位置情報とキーワードのセットを、カーナビ１０２に送信することとしてもよい。
【００５５】
カーナビ１０２（通知情報取得部２１）は、変換後のカーナビ用の位置情報およびキーワードを受信し、受信した情報をユーザ情報記憶部２２に登録・記憶する（Ｓ１４）。そして、カーナビ１０２（地図情報更新部２４）は、地図情報記憶部２３の地図情報と、ユーザ情報記憶部２２に登録された変換後に位置情報とを照らし合わせ、変換後の位置情報が示す位置を地図情報上で特定し、特定した位置に登録されたキーワードを設定した地図の画面を生成する。そして、カーナビ１０２（地図情報更新部２４）は、生成した地図画面を表示部２５（ディスプレイ）に表示する（Ｓ１５）。これにより、ユーザは、所望の位置情報およびキーワードが、カーナビ１０２に登録されたことを確認することができる。
【００５６】
また、カーナビ１０２は、走行中に、ユーザ情報記憶部２２に登録された位置情報に該当する場所を通過する場合、キーワードの情報を表示部２５に表示する、または音声で通知するなど、明示的にユーザに通知することとしてもよい。
【００５７】
以上説明した本実施形態では、ユーザ端末から入力された情報が、ホームゲートウェイを介してカーナビに通知され、登録される。このように、ユーザ端末とカーナビを連携させることにより、ユーザは、ユーザ端末を用いてサーチエンジンから検索した情報をプリントアウトし、プリントアウトした情報に基づいてカーナビに登録する必要がないため、ユーザの印刷負荷および入力負荷を削減し、ユーザの利便性をより向上することができる。
【００５８】
また、本実施形態では、ホームゲートウェイの位置情報変換部が、ユーザが入力した位置情報（例えば、住所等）を、カーナビが認識可能な位置情報（例えは、緯度・経度等）に変換するため、ユーザはカーナビ用の位置情報に変換することなく、容易に位置情報を入力することができる。
【００５９】
また、本実施形態では、ユーザは位置情報とともに当該位置情報に関するキーワードを登録する。これにより、ユーザは、カーナビの地図の登録した位置情報の位置に、所望のキーワードを表示させることができ、カーナビの地図を容易にカスタマイズすることができる。
【００６０】
また、本実施形態では、ユーザ端末から入力された情報（位置情報、キーワード）は、ホームゲートウェイの個人情報記憶部に格納される。そのため、カーナビゲーション装置を交換する場合であっても、再度、必要な情報を入力することなく、ホームゲートウェイの個人情報記憶部に格納された情報を交換後のカーナビに反映させることができる。
【００６１】
また、本実施形態では、ホームゲートウェイは、カーナビなどのホーム機器を発見すると、ホームネットワーク運用サーバからバンドルをダウンロードし、当該バンドルをインストールすることにより、当該ホームゲートウェイ内でユーザ端末から受信した位置情報を変換し、記憶し、カーナビに通知する。これにより、ホームネットワーク運用サーバは、バンドルをダウンロードするだけで、ユーザがカーナビに登録した個人情報を管理する必要がないため、ホームネットワーク運用サーバの負荷を軽減することができる。
【００６２】
なお、本発明は上記実施形態に限定されるものではなく、その要旨の範囲内で数々の変形が可能である。例えば、上記実施形態では、図５に示すような登録画面から入力された位置情報とキーワードをホームゲートウェイ２０１の個人情報記憶部２０５に格納するとともに、変換後の位置情報およびキーワードをカーナビに送信して、カーナビ１０２のユーザ情報記憶部２２に登録することとしたが、ホームゲートウェイ２０１の個人情報記憶部２０５およびカーナビ１０２のユーザ情報記憶部２２に登録される情報はこれに限定されない。
【００６３】
例えば、図５に示す登録画面の登録部５１０に、少なくとも２つの位置情報（出発地の位置情報、目的地の位置情報、さらに通過点の位置情報など）を入力する入力欄を備えることとする。これにより、入力された少なくとも２つの位置情報がホームゲートウェイ２０１の個人情報記憶部２０５に登録され、また、変換後の少なくとも２つ位置情報がカーナビ１０２のユーザ情報記憶部２２に登録される。これにより、カーナビ１０２は、登録された少なくとも２つの変換された位置情報を、ルート情報として利用することができる。また、登録画面の出発地の位置情報を入力する欄には、あらかじめ登録されたユーザの住所を設定することとしてもよい。
【符号の説明】
【００６４】
１０１  ホーム機器（ユーザ端末）
１０２  ホーム機器（カーナビ）
２１    通知情報取得部
２２    地図情報記憶部
２３    ユーザ情報記憶部
２４    地図情報更新部
２５    表示部  
２０１  ホームゲートウェイ
２０２  ホーム機器発見部
２０３  入出力情報表示部
２０４  位置情報管理部
２０５  個人情報記憶部
２０６  位置情報変換部
２０７  通知情報送信部  
３０１  ホームネットワーク運用サーバ
４０１  サーチエンジン
【図１】
2010252168.tif 000003
【図２】
2010252168.tif 000004
【図３】
2010252168.tif 000005
【図４】
2010252168.tif 000006
【図５】
2010252168.tif 000007